(57)【特許請求の範囲】
【請求項１】
円筒形リンク機構をロッド状部材に対して挟持及び解放するクランプ及び急速解放機構であって、
内面に設けられた内側円周方向溝を有する前記円筒形リンク機構と、
挟持中に前記内側円周方向溝に面する外面に設けられた外側円周方向溝を有する前記ロッド状部材と、
前記ロッド状部材に配設され、前記内側円周方向溝内に嵌まるか又は前記内側溝及び前記外側溝に架かるようなサイズに合わせられた止めリングであって、分割されるとともに半径方向の固定用延長部を有し、該固定用延長部は、前記円筒形リンク機構のスロット内に受け入れられて前記止めリングの回転を防止する、止めリングと、
前記内側円周方向溝内に配置され、前記止めリングと同軸となっている挟持リングであって、前記窪み部と対向した間隙を有し、その結果、該挟持リングの制限された回転が、前記止めリングの前記固定用延長部を妨げることがない、挟持リングと、
一方の方向への前記挟持リングの回転が前記止めリングを圧縮し、他方の方向への回転が前記止めリングの拡張を可能とするように構成される、前記挟持リングの内面及び前記止めリングの外面と、
前記挟持リングを挟持位置と非挟持位置との間で回転させる手段と
を備える、クランプ及び急速解放機構。
【請求項２】
円筒形リンク機構をロッド状部材に対して挟持及び解放するクランプ及び急速解放機構であって、
内面に設けられた内側円周方向溝を有する前記円筒形リンク機構と、
挟持中に前記内側円周方向溝に面する外面に設けられた外側円周方向溝を有する前記ロッド状部材と、
前記ロッド状部材に配設され、前記内側円周方向溝内に嵌まるか又は前記内側溝及び前記外側溝に架かるようなサイズに合わせられた止めリングであって、分割されるとともに、この分割部に隣接して半径方向に延びるタブを有し、前記分割部に実質的に対向するとともに、前記円筒形リンク機構のスロット内に受け入れられて前記止めリングの回転を防止する、半径方向の固定用延長部を有し、前記固定用延長部と前記分割部との間に半径方向の圧縮タブを有する、止めリングと、
前記内側円周方向溝内に配置され、前記止めリングと同軸である挟持リングであって、該挟持リングが回転されて前記分割端部と位置合わせされるときに、前記分割部に隣接した前記止めリングの前記タブを受け入れる、第１の窪み部を内面に有し、前記圧縮タブと位置合わせされる第２の窪み部及び第３の窪み部を内面に有し、前記窪み部と対向した間隙を有し、その結果、該挟持リングの制限された回転が、前記止めリングの前記固定用延長部を妨げることがない、挟持リングと、
前記挟持リングが回転すると、前記タブが前記窪み部と位置合わせされなくなることによって前記止めリングの半径方向内側への圧縮が生じるように配置される、前記止めリングの前記タブ及び前記挟持リングの前記窪み部と、
前記挟持リングを挟持位置と非挟持位置との間で回転させる手段であって、前記挟持リングから半径方向外側に延びる駆動タブと、一端が該駆動タブに枢着され、前記円筒形リンク機構内のボア内で摺動する牽引バーとを備え、それによって該牽引バーの往復動作が前記挟持リングを回転させる、回転させる手段と
を備える、クランプ及び急速解放機構。
【請求項３】
前記挟持リングを前記挟持位置に回転させるように前記牽引バーを付勢するばねをさらに備える、請求項２に記載の急速解放機構。
【発明の詳細な説明】
【技術分野】
【０００１】
本発明は包括的に、旅客列車用途のための駐車ブレーキを解放するのに特に適したクランプ及び急速解放機構に関する。
【背景技術】
【０００２】
「Spring Applied Parking Brake Actuator Having a Collet Style Slack Adjuster」と題する、Cathcart他による米国特許第５，９３７，９７４号は、一つの小型アクチュエータユニットにおいて常用ブレーキのピストンと結合している駐車ブレーキのピストンを開示している。Cathart他による特許における駐車ブレーキ機能は、ばね式排気型駐車ブレーキを使用する。空気圧が存在しないとき、駐車ブレーキのばねはブレーキ力を提供する。このタイプのばね式駐車ブレーキに関する他の設計が知られている。１つの車両（a railcar）が列車から連結解除され、ブレーキラインによって提供される圧縮空気源が取り除かれると、駐車ブレーキが自動的にかかる。圧縮空気源が利用可能でないときはばね式ブレーキを取り除く必要がある場合もある。通常、ばねからブレーキ駆動リンク機構を連結解除する手動解放が提供される。空気圧が再び利用可能になると、解放が自動的にリセットされる。このタイプの手動解放は、「Parking Brake Manual Release Mechanism」と題する、Cathcart他による米国特許第５，８４８，５５０号において開示されている。本出願は、かかる用途に有用な手動解放に関する。
【発明の概要】
【０００３】
簡潔には、本発明の一実施の形態によれば、円筒形リンク機構をロッド状部材に対して挟持及び解放するクランプ及び急速解放機構が提供される。円筒形リンク機構には内面に内側円周方向溝が設けられ、ロッド状部材には、上記内側円周方向溝に面する外面に外側円周方向溝が設けられる。
【０００４】
止めリングがロッド状部材に配設され、内側溝内に嵌め込まれるか又は内側溝及び外側溝に架かるようなサイズに合わせられている。止めリングは分割されている。止めリングはまた、円筒形リンク機構のスロット内に受け入れられる半径方向の固定用延長部（anchoring extension）を有し、このため止めリングの回転が防止される。挟持リングが内側円周方向溝内に配置されており、止めリングと同軸となっている。挟持リングは窪み部と対向した間隙を有しており、その結果、挟持リングの制限された回転が止めリングの固定用延長部を妨げることがない。挟持リングの内面及び止めリングの外面は、一方の方向への挟持リングの回転が止めリングを圧縮し、他方の方向への回転が止めリングの拡張を可能とするように構成される。往復動作をする解放機構は、挟持リングを挟持位置と非挟持位置との間で回転させる。
【０００５】
簡潔には、本発明の好ましい一実施の形態によれば、円筒形リンク機構をロッド状部材に対して挟持及び解放するクランプ及び急速解放機構が提供される。円筒形リンク機構には内面に内側円周方向溝が設けられ、ロッド状部材には、内側円周方向溝に面する外面に外側円周方向溝が設けられる。
【０００６】
止めリングがロッド状部材に配設され、内側円周方向溝内に嵌め込まれるか又は内側溝及び外側溝に架かるようなサイズに合わせられている。止めリングは分割されており、この分割部に隣接した、半径方向に延びるタブを有する。止めリングはまた、円筒形リンク機構のスロット内に受け入れられる、分割部に実質的に対向した半径方向の固定用延長部を有し、このため止めリングの回転が防止される。止めリングは、固定用延長部と分割部との間に半径方向の圧縮タブを有する。挟持リングが内側円周方向溝内に配置されており、止めリングと同軸となっている。挟持リングは、該挟持リングが回転されて分割端部と位置合わせされるときに分割部に隣接した止めリングのタブを受け入れる、第１の窪み部を内面に有する。挟持リングの内面にある第２の窪み部及び第３の窪み部は圧縮タブと位置合わせされる。挟持リングは窪み部と対向した間隙を有しており、その結果、挟持リングの制限された回転が止めリングの固定用延長部を妨げることがない。止めリングのタブ及び挟持リングの窪み部は、挟持リングが回転すると、タブが窪み部と位置合わせされなくなることによって止めリングの半径方向内側への圧縮が生じるように配置される。
【０００７】
解放機構は、挟持リングを挟持位置と非挟持位置との間で回転させる。解放機構は、挟持リングから半径方向外側に延びる駆動タブと、一端が駆動タブに枢着される、円筒形リンク機構内のボア内で摺動する牽引バーとを備え、それによって牽引バーの往復動作が挟持リングを内側円周方向溝内で回転させる。牽引バーは、内側溝及び外側溝が再び位置合わせされるときに、挟持リングを挟持位置に回転させるようにばね付勢される（spring biased）。
【０００８】
さらなる特徴並びに他の目的及び利点が、図面を参照して説明される。
【図面の簡単な説明】
【０００９】
【図１】本発明の一実施形態によるクランプ及び回転式解放機構の閉／ロック位置での断面図である。
【図２】本発明の一実施形態によるクランプ及び回転式解放機構の開／ロック解除位置での断面図である。
【図３】図１の線Ａ−Ａに沿った断面図である。
【図４】図２の線Ｂ−Ｂに沿って切断した断面図である。
【発明を実施するための形態】
【００１０】
図１及び図２を参照すると、円筒形リンク機構１０をロッド状部材１２に対して挟持するクランプ及び急速解放機構が示されている。円筒形リンク機構は、Cathcart他による米国特許第５，９３７，９７４号に示されているスリーブ２１のように、駐車ブレーキをかけるための駐車ブレーキばねによって付勢され得る。ロッド状部材１２は、Cathcart他による特許で示されている中間スリーブ４２のように、ブレーキシューの用途のためのブレーキ装置（brake rigging）に連結され得る。ロッド状部材１２が円筒形リンク機構から解放されると、相対的な軸方向動作が可能となる。Cathcart他による特許の場合、スリーブ２１及び中間スリーブ４２の相対的な軸方向移動によって、ブレーキシューが後退することが可能となる。
【００１１】
円筒形リンク機構１０には内面に内側円周方向溝１４が設けられており、ロッド状部材１２には内側円周方向溝に面する外面に外側円周方向溝１６が設けられている。円筒形リンク機構及びロッド状部材が共に挟持されるときに２つの溝が位置合わせされる。挟持されなくなると、溝は必然的にもはや位置合わせされなくなる。溝は環状であり、通常図３及び図４に示されるような部分的に長方形の断面を有する。
【００１２】
止めリング１８がロッド状部材１２に隣接して配設されており、内側円周方向溝１４内に嵌め込まれるか又は内側溝及び外側溝に架かるようなサイズに合わせられている。
止めリング１８は分割されており、この分割部に隣接した半径方向に延びるタブ２０、２２を有する。止めリング１８はまた、円筒形リンク機構のスロット２６内に受け入れられる、分割部と実質的に対向した半径方向の固定用延長部２４を有し、このため、止めリングの回転が防止される。止めリングは、固定用延長部と分割部との間に半径方向の圧縮タブ３０、３２を有する。
【００１３】
挟持リング２８が内側円周方向溝１４内に配置されており、止めリング１８と同軸となっている。挟持リング２８は、該挟持リングが回転して分割端部と位置合わせされ挟持が解放されるときに分割部に隣接した止めリング１８のタブ２０、２２を受け入れる、第１の窪み部３４を内面に有する。挟持が解放されると、内面にある第２の窪み部３６及び第３の窪み部３８が、圧縮タブ３０、３２とそれぞれ位置合わせされる。挟持リングは窪み部と対向した間隙４０を有しており、その結果、挟持リングの制限された回転が止めリングの固定用延長部を妨げることがない。止めリングのタブ及び挟持リングの窪み部は、挟持リングが回転すると、タブが窪み部と位置合わせされなくなることによって止めリングの半径方向内側への圧縮が生じるように配置される。
【００１４】
解放機構４２は、挟持リング２８を挟持位置と非挟持位置との間で回転させる。解放機構は、挟持リングから半径方向外側に延びる駆動タブ４４と、一端が駆動タブに枢着される、円筒形リンク機構内のボア内で摺動する牽引バー４６とを備え、それによって牽引バーの往復動作が挟持リングを内側円周方向溝１４内で回転させる。牽引バーは、内側溝及び外側溝が再び位置合わせされるときに、挟持リングを挟持位置に回転させるようにばね４８によって付勢される。
【００１５】
図２を参照すると、図で明らかなように牽引バー４６を右に引くことによって解放が行われ、これにより図で明らかなように挟持リングが時計回りに回転し、したがって窪み部３４、３６及び３８が移動してタブ２０、２２、３０、３２に位置合わせされる。これによって、止めリングがロッド状部材の外側溝１６から離れて半径方向に拡張することを可能にする。
【００１６】
図１を参照すると、内側溝及び外側溝が再び位置合わせされると、ばね４８は、図で明らかなように牽引バー４６を左に移動させ、図で明らかなように挟持リングを反時計回りに回転させる。これによって、タブ３０、３２が止めリング１８を外側溝内に押すようにする。このとき、止めリングは内側溝及び外側溝に架かり、円筒形リンク機構及びロッド状部材の相対的な軸方向移動を防止する。
【００１７】
外側溝及び内側溝は、共通の軸方向幅を有する部分的に長方形の断面を有する。止めリング及び挟持リングも、溝の軸方向幅よりも幾分小さい軸方向幅を有する部分的に長方形の断面を有する。
【００１８】
このように、特許法によって求められる詳細及び特殊性に関して本発明を説明したが、特許証による保護が望まれるものは添付の特許請求の範囲に規定される。
【図１】
0005150770.tif 000002
【図２】
0005150770.tif 000003
【図３】
0005150770.tif 000004
【図４】
0005150770.tif 000005